(57)【要約】【課題】  大型施設内で子供が迷子になっても迷子センター等に出向くことなく迷子の発生通報が行えると共に迷子の位置捜索を容易に行なうことができる、迷子捜索システムを得る。【解決手段】  迷子センター等に親局を設置し、該親局とネットワーク接続した中継局を多数配置する。また、入園した親子に夫々固有のＩＤコードを設定した無線端末機を持たせる。子供が迷子になった場合には、親が所持する親用端末機の捜索スイッチを入れることにより、最寄りの中継局を経由して親局に迷子発生の通報を行う。親局は当該親用端末機に設定されたＩＤコードを読み取り、多数の中継局より当該ＩＤコードに対応する子供用端末機に対して捜索用信号を送信する。子供が持つ子供用端末機は少なくとも１つ以上の中継局と通信を行うことにより親局は当該子供用端末機に一番近い中継局を特定し、迷子の位置捜索を行うことができる。【選択図】        図１
2006033781.tif 000002
【特許請求の範囲】
【請求項１】
大型施設内の迷子センター等に親局を設置し、該親局とネットワーク接続した中継局を多数配置し、また、入園した親子に夫々固有のＩＤコードを設定した無線端末機を持たせ、
子供が迷子になった場合に、親が所持する親用端末機の捜索スイッチを入れることにより、最寄りの中継局を経由して親局に迷子発生の通報を行う手段と、親局が当該親用端末機に設定されたＩＤコードを読み取り、多数の中継局より当該ＩＤコードに対応する子供用端末機に対して捜索用信号を送信する手段と、子供が持つ子供用端末機が少なくとも１つ以上の中継局と通信を行うことにより親局が当該子供用端末機に一番近い中継局を特定して迷子の位置捜索を行う手段を有することを特徴とした、迷子捜索システム。
【請求項２】
親用端末機と子供用端末機間又は親用端末機と中継局間又は子供用端末機と中継局間との通信が微弱無線であることを特徴とした、請求項１に記載の迷子捜索システム。
【発明の詳細な説明】
【技術分野】
【０００１】  本発明は、遊園地やイベント会場等の大型施設において、子供が迷子になっても迷子センター等に出向くことなく迷子の発生通報が行えると共に迷子の位置捜索を容易に行なうことができる、迷子捜索システムに関するものである。
【背景技術】
【０００２】  従来、遊園地やイベント会場等の大型施設を小さな子供のいる親子が訪れた場合、親が子供の手を握って離れないようにしても雑踏の中では自然と手が離れてしまい又は子供が自ら動き回り、迷子になってしまうことがあった。【０００３】  子供が迷子になると親は迷子センター等に行き、係員に子供の名前や年齢を始め子供や服装の特徴，迷子に気づいた時間・状況・場所等を詳しく説明し、係員は該内容をノートに控え、場内放送で迷子案内を行っていた。【０００４】  また、上記煩わしさを解消すべく、特開平０５−２８８８４１号公報の『ワイヤレス位置検出システム』では、無線端末機であるマスター子機を親に持たせ更に子機を子供に持たせて通信を行い、受信レベルが予め設定された受信レベルより低下した場合に、子機即ち子供と離れたことを通報するための警報音を発し、子供が迷子になった場合における探索モードとして、マスター子機に指向性を持たせて通信を行い、受信レベルが予め設定された受信レベルより上昇した場合に、子機即ち子供のいる方向を発見したことを通報するための警報音を発し、更に前記探索モードでも判らない場合には、当該施設内に多数配置してある親機にマスター子機を接続し、全エリアを細分して順に探索を行うことにより子機即ち子供のいるエリアを発見する方法が開示されている。
【特許文献１】特開平０５−２８８８４１
【発明の開示】
【発明が解決しようとする課題】
【０００５】  しかしながら、上記公報の方法においてはマスター子機及び子機に受信レベル設定手段や受信レベル計測手段及び受信レベル比較手段を具備する必要があり、回路が複雑になってしまうという欠点があった。また、多数の親子が当該システムを使用する場合、混信を防ぐため親子毎に使用する周波数を変更して設定する必要があり、運用上非常に複雑且つ面倒であるという問題点があった。【０００６】  本発明は、上記問題点を解決するために成されたものであり、簡単な回路構成の無線端末機を親子に持たせることにより、遊園地やイベント会場等の大型施設で子供が迷子になっても迷子センター等に出向くことなく迷子の発生通報が行えると共に迷子の位置捜索を容易に行なうことができる、迷子捜索システムを提供することを目的とする。
【課題を解決するための手段】
【０００７】  上記課題を解決するため、本発明の迷子捜索システムにおいては、大型施設内の迷子センター等に親局を設置し、該親局とネットワーク接続した中継局を多数配置する。また、入園した親子に夫々固有のＩＤコードを設定した無線端末機を持たせる。子供が迷子になった場合には、親が所持する親用端末機の捜索スイッチを入れることにより、最寄りの中継局を経由して親局に迷子発生の通報を行う。親局は当該親用端末機に設定されたＩＤコードを読み取り、多数の中継局より当該ＩＤコードに対応する子供用端末機に対して捜索用信号を送信する。子供が持つ子供用端末機は少なくとも１つ以上の中継局と通信を行うことにより親局は当該子供用端末機に一番近い中継局を特定する。そして、迷子センター等より係員を向かわせることにより迷子を捜索することができる。
【発明の効果】
【０００８】  本発明の迷子捜索システムを遊園地やイベント会場等の大型施設で採用すれば、簡単な回路構成で操作方法も簡単な無線端末機を親子に持たせることにより、遊園地やイベント会場等の大型施設で子供が迷子になっても迷子センター等に出向くことなく迷子の発生通報が行えると共に迷子の位置捜索を容易に行なうことができ、子供を親の元に確実且つ迅速に届けることができるという絶大なる効果を奏することができる。
【発明を実施するための最良の形態】
【０００９】  本発明を実施するための最良の形態を図を用いて説明する。図１は本発明の迷子捜索システムによる迷子捜索方法を説明するための実施例図であり、遊園地やイベント会場等の大型施設１内の迷子センター３等に親局４を設置する。更に、該親局４とネットワーク接続した中継局５を多数配置する。該ネットワーク接続は有線又は無線のどちらでも構わなく、網形態もスター型やラダー型など任意で構わない。【００１０】  また、入園した親子に夫々固有のＩＤコードを設定した無線端末機を貸与して持たせる。図２は本発明の迷子捜索システムで使用する無線端末機の概略外形図であり、（ａ）は親用端末機，（ｂ）は子供用端末機を表している。該図に示すように、親用端末機１０の表面には警報を発するためのスピーカー１１と、迷子発生を迷子センター３等内の親局４に通報するための捜索スイッチ１２がある。子供用端末機１３の表面には子供が親から一定距離以上離れた場合に発光するＬＥＤランプ１４がある。なお、該無線端末機の形状や部品配置は該図に限定することなく任意で構わなく、所持形態も名札のように安全ピンやクリップで止めたり、首に掛けるようにしたものなど任意で構わない。【００１１】  子供が迷子になった場合には、親が持つ親用端末機１０の捜索スイッチ１２を入れることにより、最寄りの中継局５を経由して親局４に迷子発生の通報を行う。図３は本発明の迷子捜索システムで使用する無線端末機の回路構成図であり、入出力部以外は共通である。該図に示すように、親用端末機１０には入出力回路２２に警報を発するためのスピーカー１１と迷子発生を通報するための捜索スイッチ１２と親用固有ＩＤコードを書込むためのコネクタ２３を接続する。また、子供用端末機１３には入出力回路２２に親用端末機１０と一定距離以上離れたことを知らせるためのＬＥＤランプ１４と子供用固有ＩＤコードを書込むためのコネクタ２３を接続する。なお、前記スピーカー１１は、警報が音声メッセージの場合に有効であるが、単に警報音の場合にはブザーに置き換えても構わない。また、警報機能に代えて、子供用端末機１３と同様にＬＥＤランプとしても構わない。【００１２】  また、共通部分として親用端末機１０と子供用端末機１３間又は親用端末機１０と中継局５間又は子供用端末機１３と中継局５間とで通信を行うための送信回路１７及び受信回路１８の前段を切換器１６を経由してアンテナ１５に接続し、送信回路１７及び受信回路１８の後段をデジタル信号に変復調するための変復調回路１９に接続し、更に前記入出力回路２２や切換器１６及び変復調回路１９を制御するための制御回路２０を接続する。該制御回路２０はＣＰＵ等のプログラム制御可能なロジック回路で構成し、制御プログラムや後述のＩＤコードを蓄積するためのメモリ２１を接続する。【００１３】  図４は本発明の迷子捜索システムで使用するＩＤコードの構成例であり、下位２バイトを子供用ＩＤとし上位４バイトを親用ＩＤとした、計６バイトのＩＤコードを表している。該ＩＤコードによれば、子供用ＩＤコードとして最大９９人分認識でき、親用ＩＤコードとして最大９９９９人分認識することができるが、バイト構成等は任意で構わない。【００１４】  また、上記親用端末機１０と子供用端末機１３間又は親用端末機１０と中継局５間又は子供用端末機１３と中継局５間との通信は免許の不要な微弱無線を使用し、通信距離は概ね１０ｍ以下とする。また、使用周波数は任意で構わない。
【実施例】
【００１５】  本発明の実施例を図を用いて説明する。図１は本発明の迷子捜索システムによる迷子捜索方法を説明するための実施例図であり、図５は本発明の迷子捜索システムによる迷子捜索手順を説明するための概略フローチャートである。【００１６】  親子が遊園地やイベント会場等の大型施設１を訪れて入園する場合、ステップＳ１として、ゲート２で親子の人数を申請し、固有の親用ＩＤコードと当該親用ＩＤコードに付随した子供用ＩＤコードが設定された親用端末機１０と子供用端末機１３が人数分貸与される。【００１７】  次にステップＳ２として、親７は親用端末機１０を身に着け、子供は子供用端末機１３を身に着ける。この時、親用端末機１０と子供用端末機１３とは間欠的に相互通信を行い、親子の距離が概ね１０ｍ程度以内であれば通信が行え、警報発生もなく通常に園内を利用することができる。【００１８】  ここで、子供８ｂが親７から離れて迷子になった場合、前記通信ができなくなることにより子供用端末機１３のＬＥＤ１４を点滅させ、親用端末機１０のスピーカー１１から警報音又は音声メッセージを発生させる。該状況時にて親子が近づけば通信が再開され、前記ＬＥＤ１４の点滅や警報音又は音声メッセージは停止する。しかし、親７が子供８ｂを見つけ出すことができない場合、ステップＳ３として、親７が持つ親用端末機１０の捜索スイッチ１２を入れて迷子センター３に捜索依頼を行う。図１では、親７の近くにいる子供８ａとは通信ができるため当該子供用端末機１３のＬＥＤ１４は点滅しないが、迷子になった子供８ｂとは通信ができないため当該子供用端末機１３のＬＥＤ１４は点滅し、親用端末機１０の警報音又は音声メッセージが発生する。【００１９】  次に、ステップＳ４として、親７からの捜索依頼が最寄りの中継局５ａを中継して迷子センター３の親局４に送信される。【００２０】  親局４は、該捜索依頼により親用端末機１０から送信された信号より親用ＩＤコードを読み取る。そして、ステップＳ５として当該ＩＤコードに付随した子供用ＩＤコードを付加した捜索信号を園内の全ての中継局５に送信する。【００２１】  中継局５ｂと迷子になった子供８ｂの持つ子供用端末機１３との通信エリア６ｂは概ね１０ｍ程度であり、大型施設１内に各中継局５を倍の２０ｍ程度の間隔で設置しておけば、該迷子になった子供８ｂの持つ子供用端末機１３は少なくとも１つ以上の中継局５と通信を行うことができる。そこで、ステップ６として、上記探索信号を受信してＩＤコードが一致した子供用端末機１３即ち当該迷子になった子供８ｂの持つ子供用端末機１３が応答して最寄りの中継局５ｂと通信を行う。【００２２】  次に、ステップ７として、中継局５ｂは迷子になった子供８ｂの持つ子供用端末機１３との通信結果を迷子センター３の親局４に送信し、親局４は通信結果を解析し捜索依頼のあった親７の迷子になった子供８ｂが中継局５ｂ付近にいることを検出する。【００２３】  そこで、ステップ８として、迷子センター３の担当者は園内の係員に指示を行い、親７に係員９ａを向かわせ、迷子の子供８ｂに係員９ｂを向かわせる。【００２４】  次に、ステップ９として、迷子の子供８ｂを見つけ出した係員９ｂはトランシーバー等により���子センター３の担当者と連絡を取り、親７のいる位置を確認する。【００２５】  そして、ステップ１０として、係員９ｂは迷子の子供８ｂを親７の元に連れて行き、親子を合せる。また、逆に親７の処にいる係員９ａを迷子の子供８ｂのいる位置に連れて行き、親子を合せても良い。【００２６】  その後、ステップ１１として、係員９ａ又は係員９ｂが迷子センター３に連絡指示して捜索信号の送信停止を行うことにより、通常の園内再利用を行うことができる。【００２７】  また、ステップ７において迷子になった子供がゲート２にある中継局５ｃと通信を行ったことを検出した場合、子供が大型施設１を一人で出てしまったり、誘拐等の事件に遭い連れ出されてしまったことも考えられるため、該状況においては警察に連絡するなどの非常体制を取る必要もある。【００２８】  なお、上記フローチャートは、迷子捜索手順の一実施例を示したものであり、多少の捜索手順の差異は本発明の迷子捜索システムの範疇に含むものとする。
【産業上の利用可能性】
【００２９】  上記説明は、遊園地やイベント会場等の大型施設における迷子を捜索するシステムとして説明したが、大人特に老人に対しても使用することができる。
【図面の簡単な説明】
【００３０】
【図１】本発明の迷子捜索システムによる迷子捜索方法を説明するための実施例図である。
【図２】本発明の迷子捜索システムで使用する無線端末機の概略外形図である。
【図３】本発明の迷子捜索システムで使用する無線端末機の回路構成図である。
【図４】本発明の迷子捜索システムで使用するＩＤコードの構成例である。
【図５】本発明の迷子捜索システムによる迷子捜索手順を説明するための概略フローチャートである。
【符号の説明】
【００３１】１  大型施設
２  ゲート
３  迷子センター
４  親局
５  中継局
６  通信エリア
７  親
８ａ，８ｂ  子供
９ａ，９ｂ  係員
１０  親用端末機
１１  スピーカー
１２  捜索スイッチ
１３  子供用端末機
１４  ＬＥＤランプ
１５  アンテナ
１６  切替器
１７  送信回路
１８  受信回路
１９  変復調回路
２０  制御回路
２１  メモリ
２２  入出力回路
２３  コネクタ
【図１】
2006033781.tif 000003
【図２】
2006033781.tif 000004
【図３】
2006033781.tif 000005
【図４】
2006033781.tif 000006
【図５】
2006033781.tif 000007